(57)【要約】【課題】広い部屋において温度などの環境制御を安定させるとともに、多くの利用者が快適に感じられる環境制御を行うことができる環境制御システムを提供すること。【解決手段】本発明の環境制御システムは、通信端末１と空調制御装置２から構成され、空調制御装置２は、通信端末１から送信される位置情報、客観的な情報である温度情報、および利用者の主観的な情報である指示情報に基づいて、部屋の空調制御を行う。これにより、空調制御装置２は、部屋の各位置における温度を安定した状態に制御することができるとともに、通信端末１の利用者の操作に応じて、各利用者近傍の温度を増減させる制御をすることができるから、部屋の中にいる通信端末１を持つ各利用者は、快適に過ごすことができる。【選択図】図１
2009103347.tif 000002
【特許請求の範囲】
【請求項１】
所定の空間における所定の物理量を制御する環境制御装置と、前記所定の空間において用いられる複数の通信端末とを有する環境制御システムであって、
前記通信端末の各々は、
周囲環境における所定の物理量を測定する測定手段と、
利用者の操作に応じて、物理量を増減させる指示を示す指示情報を出力する指示手段と、
前記所定の空間における所定の位置を示す位置情報を記憶する位置情報記憶手段と、
前記測定手段が測定した物理量と、前記指示手段が出力した指示情報と、前記位置情報記憶手段が記憶する位置情報とを対応付けて無線送信する送信手段と
を具備し、
前記環境制御装置は、
前記所定の空間の各位置における環境の目標物理量を記憶する目標記憶手段と、
前記通信端末の各々から送信された物理量、指示情報および位置情報を各々対応付けて受信する受信手段と、
前記受信手段が受信した指示情報と、当該指示情報に対応する位置情報とに基づいて、前記目標記憶手段に記憶される目標物理量を修正する修正手段と、
前記受信手段が受信した物理量が、当該物理量に対応する位置情報が示す位置における前記目標記憶手段に記憶される目標物理量に近づくように、前記所定の空間における所定の物理量を制御する制御手段と
を具備する
ことを特徴とする環境制御システム。
【請求項２】
前記所定の空間の各位置に配置される複数の識別装置をさらに有し、
前記識別装置の各々は、
前記所定の空間における当該識別装置が配置された位置を示す位置情報を記憶する配置位置記憶手段と、
前記通信端末と接続可能な接続手段と、
前記接続手段によって通信端末と接続すると、前記配置位置記憶手段が記憶する位置情報を当該通信端末に送信する位置情報送信手段と
を具備し、
前記通信端末の各々は、
前記位置情報送信手段から送信される位置情報を受信する位置情報受信手段と、
前記位置情報受信手段が受信した位置情報が示す位置と、前記位置情報記憶手段に記憶される位置情報が示す位置とが同一か否かを判断する判断手段と、
をさらに具備し、
前記送信手段は、前記判断手段が同一と判断すると無線送信を行う
ことを特徴とする請求項１に記載の環境制御システム。
【請求項３】
前記所定の空間の各位置に配置される複数の識別装置をさらに有し、
前記識別装置の各々は、
前記所定の空間における当該識別装置が配置された位置を示す位置情報を記憶する配置位置記憶手段と、
前記通信端末と接続可能な接続手段と、
前記接続手段によって通信端末と接続すると、前記配置位置記憶手段が記憶する位置情報を当該通信端末に送信する位置情報送信手段と
を具備し、
前記通信端末の各々は、
前記位置情報送信手段から送信される位置情報を受信する位置情報受信手段と、
前記位置情報受信手段が受信した位置情報を、前記位置情報記憶手段の位置情報として記憶させる書込手段と
をさらに具備することを特徴とする請求項１に記載の環境制御システム。
【請求項４】
前記通信端末は、前記位置情報記憶手段に記憶された位置情報に基づく表示をする表示手段をさらに具備する
ことを特徴とする請求項１乃至請求項３のいずれかに記載の環境制御システム。
【請求項５】
所定の空間における所定の物理量を制御する環境制御装置と、前記所定の空間において用いられる複数の通信端末とを有する環境制御システムであって、
前記通信端末の各々は、
周囲環境における所定の物理量を測定する測定手段と、
利用者の操作に応じて、物理量を増減させる指示を示す指示情報を出力する指示手段と、
前記通信端末の各々を識別する識別情報を記憶する識別情報記憶手段と、
前記測定手段が測定した物理量と、前記指示手段が出力した指示情報と、前記識別情報記憶手段が記憶する識別情報とを対応付けて無線送信する送信手段と
を具備し、
前記環境制御装置は、
前記通信端末の各々の識別情報に、前記所定の空間における所定の位置を対応付けて記憶する対応記憶手段と、
前記所定の空間の各位置における環境の目標物理量を記憶する目標記憶手段と、
前記通信端末の各々から送信された物理量、指示情報および識別情報を各々対応付けて受信する受信手段と、
前記対応記憶手段に記憶された内容に基づいて、前記受信手段が受信した識別情報に対応する位置を認識する位置認識手段と、
当該識別情報に対応する指示情報と、前記位置認識手段が認識した位置とに基づいて、前記目標記憶手段に記憶される目標物理量を修正する修正手段と、
当該識別情報に対応する物理量が、前記位置認識手段が認識した位置における前記目標記憶手段に記憶される目標物理量に近づくように、前記所定の空間における所定の物理量を制御する制御手段と
を具備する
ことを特徴とする環境制御システム。
【請求項６】
前記物理量は温度、湿度、音圧または照度である
ことを特徴とする請求項１乃至請求項５のいずれかに記載の環境制御システム。
【発明の詳細な説明】
【技術分野】
【０００１】
本発明は、広い会場における室温などの環境を快適に保つ技術に関する。
【背景技術】
【０００２】
講演会、映画上映などが行われる会場は、規模に応じて非常に広い部屋が用いられることがある。このような広い部屋においては、利用者が快適に過ごせるように高度な空気調和（以下、空調という）システムが用いられ、できるだけ広い範囲において目標となる室温になるように、温度制御が行われる。このような温度制御には、例えば特許文献１に開示された技術のように、温度を計測可能な機器を部屋の複数箇所に設置し、この機器によって計測された温度に基づいて空調制御を行うことにより実現する技術がある。
【特許文献１】特開２００５−２９１６１１号公報
【発明の開示】
【発明が解決しようとする課題】
【０００３】
特許文献１に開示された技術においては、部屋の各位置における温度を参照して、予め設定された温度になるように空調制御が行われるが、同じ温度であっても、利用者によって快適な温度が違うことは多々あり、部屋にいる利用者が全て快適に感じるとは限らない。また、多数の人が集まる広い部屋においては、快適に感じられない人が、より多く発生することになる。
【０００４】
また、広い部屋において利用者が少ない場合には、利用者がいない領域が大きくなるが、このような領域については温度制御を行う必要はないにもかかわらず、利用者がいない領域に対しても温度制御が行われるような空調制御であり、必要以上の消費電力がかかっていた。
【０００５】
本発明は、上述の事情に鑑みてなされたものであり、広い部屋において温度などの環境制御を安定させるとともに、多くの利用者が快適に感じられる環境制御を行うことができる環境制御システムを提供することを目的とする。
【課題を解決するための手段】
【０００６】
上述の課題を解決するため、本発明は、所定の空間における所定の物理量を制御する環境制御装置と、前記所定の空間において用いられる複数の通信端末とを有する環境制御システムであって、前記通信端末の各々は、周囲環境における所定の物理量を測定する測定手段と、利用者の操作に応じて、物理量を増減させる指示を示す指示情報を出力する指示手段と、前記所定の空間における所定の位置を示す位置情報を記憶する位置情報記憶手段と、前記測定手段が測定した物理量と、前記指示手段が出力した指示情報と、前記位置情報記憶手段が記憶する位置情報とを対応付けて無線送信する送信手段とを具備し、前記環境制御装置は、前記所定の空間の各位置における環境の目標物理量を記憶する目標記憶手段と、前記通信端末の各々から送信された物理量、指示情報および位置情報を各々対応付けて受信する受信手段と、前記受信手段が受信した指示情報と、当該指示情報に対応する位置情報とに基づいて、前記目標記憶手段に記憶される目標物理量を修正する修正手段と、前記受信手段が受信した物理量が、当該物理量に対応する位置情報が示す位置における前記目標記憶手段に記憶される目標物理量に近づくように、前記所定の空間における所定の物理量を制御する制御手段とを具備することを特徴とする環境制御システムを提供する。
【０００７】
また、別の好ましい態様において、前記所定の空間の各位置に配置される複数の識別装置をさらに有し、前記識別装置の各々は、前記所定の空間における当該識別装置が配置された位置を示す位置情報を記憶する配置位置記憶手段と、前記通信端末と接続可能な接続手段と、前記接続手段によって通信端末と接続すると、前記配置位置記憶手段が記憶する位置情報を当該通信端末に送信する位置情報送信手段とを具備し、前記通信端末の各々は、前記位置情報送信手段から送信される位置情報を受信する位置情報受信手段と、前記位置情報受信手段が受信した位置情報が示す位置と、前記位置情報記憶手段に記憶される位置情報が示す位置とが同一か否かを判断する判断手段と、をさらに具備し、前記送信手段は、前記判断手段が同一と判断すると無線送信を行ってもよい。
【０００８】
また、別の好ましい態様において、前記所定の空間の各位置に配置される複数の識別装置をさらに有し、前記識別装置の各々は、前記所定の空間における当該識別装置が配置された位置を示す位置情報を記憶する配置位置記憶手段と、前記通信端末と接続可能な接続手段と、前記接続手段によって通信端末と接続すると、前記配置位置記憶手段が記憶する位置情報を当該通信端末に送信する位置情報送信手段とを具備し、前記通信端末の各々は、前記位置情報送信手段から送信される位置情報を受信する位置情報受信手段と、前記位置情報受信手段が受信した位置情報を、前記位置情報記憶手段の位置情報として記憶させる書込手段とをさらに具備してもよい。
【０００９】
また、別の好ましい態様において、前記通信端末は、前記位置情報記憶手段に記憶された位置情報に基づく表示をする表示手段をさらに具備してもよい。
【００１０】
また、本発明は、所定の空間における所定の物理量を制御する環境制御装置と、前記所定の空間において用いられる複数の通信端末とを有する環境制御システムであって、前記通信端末の各々は、周囲環境における所定の物理量を測定する測定手段と、利用者の操作に応じて、物理量を増減させる指示を示す指示情報を出力する指示手段と、前記通信端末の各々を識別する識別情報を記憶する識別情報記憶手段と、前記測定手段が測定した物理量と、前記指示手段が出力した指示情報と、前記識別情報記憶手段が記憶する識別情報とを対応付けて無線送信する送信手段とを具備し、前記環境制御装置は、前記通信端末の各々の識別情報に、前記所定の空間における所定の位置を対応付けて記憶する対応記憶手段と、前記所定の空間の各位置における環境の目標物理量を記憶する目標記憶手段と、前記通信端末の各々から送信された物理量、指示情報および識別情報を各々対応付けて受信する受信手段と、前記対応記憶手段に記憶された内容に基づいて、前記受信手段が受信した識別情報に対応する位置を認識する位置認識手段と、当該識別情報に対応する指示情報と、前記位置認識手段が認識した位置とに基づいて、前記目標記憶手段に記憶される目標物理量を修正する修正手段と、当該識別情報に対応する物理量が、前記位置認識手段が認識した位置における前記目標記憶手段に記憶される目標物理量に近づくように、前記所定の空間における所定の物理量を制御する制御手段とを具備することを特徴とする環境制御システムを提供する。
【００１１】
また、別の好ましい態様において、前記物理量は温度、湿度、音圧または照度であってもよい。
【発明の効果】
【００１２】
本発明によれば、広い部屋において温度などの環境制御を安定させるとともに、多くの利用者が快適に感じられる環境制御を行うことができる環境制御システムを提供することができる。
【発明を実施するための最良の形態】
【００１３】
以下、本発明の一実施形態について説明する。
【００１４】
＜実施形態＞
本発明の実施形態に係る環境制御システムは、図１に示すように、所定の空間において用いられる複数（本実施形態においては最大１００台）の通信端末１−１、１−２、・・・１−１００、および、所定の空間の空調制御を行う空調制御装置２を有する。以下、１００台の通信端末を区別しないときには、通信端末１という。空調制御装置２は、各通信端末１から送信される情報に基づいて、所定の空間の空調制御を行う。
【００１５】
本実施形態においては、所定の空間は、図２に示すように、講演、映画上映が行われる部屋１００であって、１００個の座席、ステージ２００を有している。１００個の座席はステージ２００と平行に１０個、ステージ２００と垂直方向に１０個並べられ、それぞれの座席の位置は各々座席番号で定義され、図２に示すように、最前列の座席がＡ−１、Ａ−２、・・・、Ａ−１０、次の列の座席がＢ−１、Ｂ−２、・・・、Ｂ−１０、そして最後列がＪ−１、Ｊ−２、・・・、Ｊ−１０となっている。すなわち、アルファベットがステージ２００と垂直方向の列を表し、数字がステージ２００と平行方向の列を表し、例えば、座席番号がＥ−８であれば、ステージ２００側（図２の上側）から５列目、ステージ２００に向かって左側（図２の左側）から８列目の座席を示すことになる。以下、通信端末１および空調制御装置２の構成について説明する。
【００１６】
まず、通信端末１の構成について、図３、図４を用いて説明する。図３は、通信端末１の構成を示すブロック図である。また、図４は通信端末１の外観を示す外観図である。
【００１７】
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）などを有し、ＣＰＵは、ＲＯＭに記憶されたプログラムをＲＡＭにロードして実行する。これにより、制御部１１は、バス１０を介して、通信端末１の各部について制御する。
【００１８】
記憶部１２は、不揮発性メモリなどの記憶手段であって、部屋１００における所定の位置を示す位置情報を記憶する。この所定の位置は、座席の位置として表され、通信端末１ごとに異なる座席の位置が記憶される。本実施形態においては、通信端末１−１の記憶部１２に記憶される位置情報は座席番号Ａ−１を示し、通信端末１−２に係る位置情報は座席番号Ａ−２、通信端末１−１０に係る位置情報は座席番号Ａ−１０、通信端末１−１１に係る位置情報は座席番号Ｂ−１というように、座席番号Ａ−１から順に各通信端末１の記憶部１２に位置情報として記憶される。このように対応していくと、例えば、位置情報が座席番号Ｅ−８である通信端末１は、通信端末１−４８となる。それぞれの通信端末１が有する位置情報が示す座席番号は、当該通信端末１を使用する利用者が着席すべき座席の位置を示している。
【００１９】
温度センサ１３は、サーミスタなどの温度測定手段であって、通信端末１の周囲環境の物理量のうち、所定の物理量としての温度を測定し、その測定結果を出力する。
【００２０】
表示部１４は、液晶ディスプレイなどの表示手段であって、制御部１１の制御によって表示を行う。この表示部１４には、例えば、図４に示すように、記憶部１２が記憶する位置情報が示す座席番号、温度センサ１３が測定した温度、後述する操作部１５において操作した操作内容、無線通信用の電波の強度、２次電池など内蔵電池の残量などの表示が行われる。利用者は表示部１４に表示された座席番号をみて、着席すべき座席を認識する。なお、表示部１４に座席番号が表示されないようにしても、通信端末１を受付などで受け取るときに確認すれば、着席すべき位置を認識することができる。
【００２１】
操作部１５は、利用者によって操作される操作ボタンを有し、その操作内容を示す情報を出力する。操作ボタンは、例えば図４に示すように、「＋」ボタン、「−」ボタンである。「＋」ボタンは、利用者が所定の座席に着席したときに寒いと感じたときに押すボタンであって、この操作により、操作部１５は、温度を増加させる指示を示す指示情報を出力する。一方「−」ボタンは、熱いと感じたときに押すボタンであって、この操作により、操作部１５は、温度を減少させる指示を示す指示情報を出力する。そして、暑ければ暑いほど、寒ければ寒いほど押す回数を増やせばよく、この回数に応じた表示が表示部１４になされ、例えば、図４に示す表示部１４の左側に表示される棒状の表示の長さを変化させることによって表される。
【００２２】
通信部１６は、空調制御装置２と無線通信を行う通信手段である。通信部１６は、制御部１１から制御され、記憶部１２に記憶された位置情報、温度センサ１３によって測定された温度を示す温度情報、操作部１５から出力された指示情報を対応付けて空調制御装置２に送信する。この送信は、定期的に行われる。なお、この送信は、操作部１５から指示情報が出力されたときには強制的に行われるようにしてもよい。以上が、通信端末１の構成の説明である。
【００２３】
次に、空調制御装置２の構成について、図５、図６を用いて説明する。図５は、空調制御装置２の構成を示すブロック図である。図６は、後述する温度制御部２３の構成を示すブロック図である。
【００２４】
制御部２１は、ＣＰＵ、ＲＯＭ、ＲＡＭなどを有し、ＣＰＵは、ＲＯＭに記憶されたプログラムをＲＡＭにロードして実行する。これにより、制御部２１は、バス２０を介して、空調制御装置２の各部について制御する。
【００２５】
記憶部２２は、不揮発性メモリなどの記憶手段であって、部屋１００の各位置における目標温度を示す情報を記憶する。この目標温度は、制御部２１の制御によって随時書き換えして修正可能となっている。この書き換えは、制御部２１が、後述する通信部２６が受信する指示情報と位置情報とに基づいて行われ、例えば、指示情報が温度を増加させる指示を示しているときには、位置情報が示す部屋の位置において、目標温度を増加させるように書き換える。なお、位置情報が示す部屋の位置のみの目標温度を増加させるだけでなく、その周囲の目標温度についても増加させてもよい。このように、書き換えについてのアルゴリズムは、指示情報および位置情報に基づいて行われる処理であれば、どのような処理としてもよい。
【００２６】
温度制御部２３は、制御部２１の制御によって、部屋１００の各位置の温度が記憶部２２に記憶される目標温度になるように、部屋１００の空調制御を行う。部屋１００の各位置の温度については、後述する通信部２６が受信する温度情報と位置情報とによって、制御部２１が特定する。すなわち、制御部２１は、位置情報によって部屋の位置を特定し、その位置における温度を温度情報によって特定する。
【００２７】
温度制御部２３は、図６に示すように、コントローラ２３１と、複数の温度調節部２３２−１、２３２−２、・・・、２３２−ｎ（以下、各温度調節部を区別しない場合には、温度調節部２３２という）、部屋１００の各所に設置された送風口２３３−１、２３３−２、・・・、２３３−ｎ（以下、各送風口を区別しない場合には、送風口２３３という）を有する。
【００２８】
コントローラ２３１は、制御部２１の制御によって、温度調節部２３２の各々を制御する。温度調節部２３２は、コントローラ２３１の制御によって、空気の温度を増減させる調節を行う。送風口２３３の各々は、温度調節部２３２の各々と接続され、接続された温度調節部２３２によって温度調節された空気を部屋１００に供給する。部屋１００の各所から温度調節された空気を供給することにより、部屋１００の各位置の温度を制御する。このように、制御部２１は、通信部２６が受信する温度情報および位置情報から特定する部屋１００の各位置における温度を参照して、記憶部２２に記憶される部屋１００の各位置における目標温度になるように、温度制御部２３を制御する。なお、コントローラ２３１は、温度調節部２３２だけでなく、送風口２３３を制御して、送風口２３３から部屋１００に供給される空気の方向、範囲、供給量などを変化させるように制御してもよい
【００２９】
図５の説明に戻る。表示部２４は、液晶ディスプレイなどの表示手段であって、制御部２１の制御によって表示を行う。この表示部２４には、例えば、図７に示すように、部屋１００に配置されている座席の位置を示す概略図と、各座席の位置を示す位置情報とともに通信部２６が受信した指示情報の内容、目標温度の設定アイコンなど、各種情報が示されている。また、位置情報および温度情報に基づく温度分布を示す表示に切り替えたり、重ねて表示したりしてもよい。
【００３０】
例えば、図７における座席番号Ｃ−３、Ｉ−１０に表示されている「＋」は、温度を増加させる指示を示す指示情報が、位置情報が示す座席の位置がＣ−３、Ｉ−１０の通信端末１から送信されてきたことを示している。また、同様にして、座席番号Ａ−１０、Ｂ−１、Ｂ−２に表示されている「−」は、温度を減少させる指示を示す指示情報が、位置情報が示す座席の位置がＡ−１０、Ｂ−１、Ｂ−２の通信端末１から送信されてきたことを示している。なお、各座席に表示される「＋」、「−」は、その座席の位置を示す位置情報と対応する指示情報が送信された回数に応じて、その表示態様（太さ、個数、色など）を変化させてもよい。また、各座席部分に記憶部２２に記憶されているテーブルが示す各座席位置の目標温度を表示させるようにしてもよい。
【００３１】
一方、座席番号Ａ−３、Ｂ−１０などに表示されている「×」は、それらの座席番号を示す位置情報を有する通信端末１が部屋１００において使用されていない、すなわち、通信部２６が所定期間内に受信した位置情報にその座席番号の位置を示す位置情報が含まれていないことを示している。これは、「×」が表示されている座席番号に位置する座席に利用者がいないことを示していることにもなる。そのため、制御部２１は、コントローラ２３１を介して温度調節部２３２を制御する際に、「×」が表示されている座席番号の位置の温度制御については、行う必要がない。
【００３２】
操作部２５は、空調制御装置２の各設定、例えば、目標温度などの設定を行うための操作手段であって、その操作内容を示す情報を出力する。そして、空調制御装置２による空調制御を開始する際に目標温度の設定を行うと、その目標温度を示す情報が制御部２１によって記憶部２２に記憶される。この設定は、全座席一括で行なってもよいし、座席ごとに設定するようにしてもよい。
【００３３】
通信部２６は、通信端末１と無線通信を行う通信手段である。通信部２６は、各通信端末１から対応付けて送信される位置情報、温度情報および指示情報を受信し、制御部２１に出力する。以上が、空調制御装置２の構成の説明である。
【００３４】
次に、環境制御システムの動作について説明する。まず、部屋１００の管理者は、空調制御装置２の操作部２５を制御して、目標温度の設定を行う。この目標温度は、全ての座席の位置において２８℃となるように設定されるものとする。部屋１００に利用者が入室する前においては、空調制御装置２は、予め設定されたアルゴリズムで、部屋１００の空調制御を行う。これにより、部屋１００は、全体的に温度が約２８℃になるように制御される。
【００３５】
利用者は、部屋１００への入室前に、通信端末１を受け取り、その表示部１４に表示される座席番号の座席に着席する。部屋１００に通信端末１が持ち込まれると、通信端末１は、空調制御装置２との無線通信を開始し、位置情報、温度情報を送信する。
【００３６】
一方、空調制御装置２は、各通信端末１から送信される位置情報、温度情報に基づいて、当該温度情報が目標温度である２８℃になるように、制御部２１によって温度制御部２３を制御することにより、空調制御を行う。これにより、通信端末１を持って部屋１００に入室した利用者近傍は、目標温度である２８℃により精度良く温度制御される。
【００３７】
この温度では快適に感じない利用者は、通信端末１の操作部１５の操作ボタンを操作して、温度の増減を指示する。例えば、利用者が暑いと感じた場合には、操作ボタンの「−」ボタンを押下することにより、温度を減少させる指示を示す指示情報が、定期的に送信されている位置情報、温度情報とともに、通信端末１から空調制御装置２に送信される。例えば、この通信端末１は、通信端末１−１２であり、位置情報が示す位置の座席番号はＢ−２であるとする。
【００３８】
一方、空調制御装置２は、通信端末１−１２から送信された位置情報、指示情報を受信すると、制御部２１が記憶部２２に記憶されている目標温度を示す情報のうち、座席番号Ｂ−２の位置の目標温度を、例えば０．５℃減少させ２７．５℃に修正するように書き換える。このようにすることにより、制御部２１は、座席番号Ｂ−２の位置の温度が２７．５℃になるように、すなわち、座席番号Ｂ−２の位置を示す位置情報と共に受信する温度情報が示す温度が２７．５℃になるように、温度制御部２３を制御することにより、部屋１００の空調制御を行う。
【００３９】
このように、環境制御システムは、通信端末１と空調制御装置２から構成され、空調制御装置２は、通信端末１から送信される位置情報、客観的な情報である温度情報、および利用者の主観的な情報である指示情報に基づいて、部屋１００の空調制御を行う。これにより、空調制御装置２は、部屋１００の各位置における温度を安定した状態に制御することができるとともに、通信端末１の利用者の操作に応じて、各利用者近傍の温度を増減させる制御をすることができるから、部屋１００の中にいる通信端末１を持つ各利用者は、快適に過ごすことができる。
【００４０】
以上、本発明の実施形態について説明したが、本発明は以下のように、さまざまな態様で実施可能である。
【００４１】
＜変形例１＞
上述した実施形態においては、各通信端末１の記憶部１２には、座席の位置を示す位置情報が記憶されていたが、位置情報の代わりに、各通信端末１を識別する端末番号などの識別情報が記憶されていてもよい。この場合には、空調制御装置２の記憶部１２には、図８に示すように、識別情報が示す端末番号と、部屋１００における座席の位置を示す座席番号とを対応付けたテーブルを記憶させればよい。そして、空調制御装置２の制御部２１は、通信部２６が受信した識別情報を記憶部１２に記憶されたテーブルから、対応する座席番号を認識し、識別情報を送信した通信端末１の位置を認識するようにすればよい。このようにしても、通信端末１の利用者が位置すべき座席番号を特定することができ、実施形態と同様な効果を得ることができる。
【００４２】
＜変形例２＞
上述した実施形態においては、周囲環境の物理量としての温度を一例として説明したが、音圧、照度、湿度、風速、風向、臭い、酸素濃度などであってもよい。音圧の制御である場合には、通信端末１における温度センサ１３の代わりに、音圧を測定するマイクロホンを用いればよい。そして、温度制御部２３を有する空調制御装置２の代わりに、音圧制御部を有する音圧制御装置として、部屋１００の各所に設置されるスピーカを用いて、部屋１００における各位置の音圧レベルを制御する装置とすればよい。
【００４３】
また、照度の制御である場合には、通信端末１における温度センサ１３の代わりに、照度を測定する照度センサを用いればよい。そして、温度制御部２３を有する空調制御装置２の代わりに、照度制御部を有する照度制御装置として、部屋１００の各所に設置される照明を用いて、部屋１００における各位置の照度を制御する装置とすればよい。
【００４４】
このように、周囲環境の物理量としては、通信端末１の利用者が知覚できる物理量であれば、どのような物理量であってもよい。そして、通信端末１には、この物理量を測定することができる受動素子を設け、一方、空調制御装置２などのような環境制御装置には、この物理量を能動制御可能な制御部を設けるようにすればよい。このように、環境制御システムは、さまざまな物理量を制御するように応用することができ、複数の物理量を同時に制御するようにすることもできる。また、通信端末１は、複数の物理量を測定し、環境制御装置は、その複数の物理量に基づいて、１つの物理量の制御を行うようにしてもよい。
【００４５】
＜変形例３＞
上述した実施形態においては、通信端末１の記憶部１２には、利用者によって使用される前に、予め位置情報を記憶させていたが、各座席において通信端末１に記憶させることができるようにしてもよい。この場合には、通信端末１の構成は、図３において破線で示したインターフェイス１７を設ければよい。インターフェイス１７は、外部機器と無線または有線によって通信を行う機能を有する。
【００４６】
そして各座席は、座席のひじ掛けなどに図９に示すような構成の識別装置３が設けられる。識別装置３は、制御部３１、記憶部３２およびインターフェイス３３を有する。記憶部３２には、座席の位置を示す位置情報が記憶され、例えば座席番号として記憶されている。インターフェイス３３は、外部機器と無線または有線によって通信を行う機能を有する。制御部３１は、インターフェイス３３によって外部機器と通信可能な状態になると、記憶部３２から位置情報を読み出して、インターフェイスに送信させる機能を有する。そして、利用者は、通信端末１を着席する座席の識別装置３とインターフェイス１７、３３を介して通信させると、通信端末１の制御部１１は、インターフェイス１７によって受信した位置情報を記憶部１２に記憶する。なお、すでに位置情報が記憶されている場合には、受信した位置情報に書き換えるようにしてもよい。このようにすると、利用者は、使用している通信端末１の記憶部１２に記憶された位置情報が示す座席に着席しなくても、その座席の位置を示す位置情報を記憶部１２に記憶させて、その内容を修正することができる。
【００４７】
＜変形例４＞
上述した実施形態において、通信端末１の記憶部１２に記憶されている位置情報が示す座席の位置以外の位置に利用者が着席した場合に、通信端末１の通信部１６の送信機能を無効化するようにしてもよい。この場合には、通信端末１の構成には、変形例３と同様にインターフェイス１７を設けるものとし、各座席が有する識別装置３の構成についても、変形例３と同様に、図９に示すような構成とすればよい。
【００４８】
そして、利用者は、通信端末１を着席する座席の識別装置３とインターフェイス１７、３３を介して通信させると、通信端末１の制御部１１は、インターフェイス１７によって受信した位置情報と、記憶部１２に記憶された位置情報とを比較して、同一であれば、通信部１６における空調制御装置２への送信を開始し、同一でなければ、送信を停止することにより通信部１６の送信機能を無効化する。このようにすると、利用者は、使用している通信端末１の記憶部１２に記憶された位置情報が示す座席に着席しない場合には、その通信端末１から各情報が送信されないから、空調制御装置２は、部屋１００の各位置における温度を誤認することがなくなり、空調制御の精度を向上させることができる。
【００４９】
＜変形例５＞
上述した実施形態において、通信端末１の操作部１５に通報ボタンを設けてもよい。この通報ボタンを利用者が押下すると、通信部１６から位置情報とともに通報情報が送信され、空調制御装置２は、通信部２６において受信した位置情報、通報情報に基づいて、表示部２４に表示させるようにしてもよい。例えば、位置情報が示す位置の座席を点滅させたり強調表示したりすればよい。このようにすると、利用者がその場にいながら部屋１００の管理者を呼び出すことができる。また、通報情報にはテキスト情報を含むようにしてもよく、この場合には、操作部１５にはテキスト情報を入力可能な入力手段を設ければよい。
【００５０】
＜変形例６＞
上述した実施形態において、多くの通信端末１から指示情報が送信された場合、隣り合う座席の目標温度が大きく異なるような場合などには、空調制御装置２は、全ての位置の温度を目標温度になるように制御できないこともあるが、このような場合には、制御部２１は、全体を最適化するような目標温度の計算を行い、記憶部２２に記憶されるテーブルをその計算結果の目標温度に書き換えて、通信部２６が受信した温度情報が、その計算結果の目標温度になるように、温度制御部２３を制御して空調制御すればよい。ここで、全体を最適化するような目標温度の計算は、所定のアルゴリズムで計算を行なえばよい。所定のアルゴリズムは、例えば、温度情報が示す温度と目標温度との差分が最小になるようにしてもよいし、温度情報が示す温度と目標温度との一致率が最も高くなるようにすればよく、様々なアルゴリズムを用いることができる。
【００５１】
＜変形例７＞
上述した実施形態においては、通信端末１は、温度センサ１３を有していたが、温度センサ１３の機能を各座席が有するようにしてもよい。この場合には、各座席に通信端末１と接続可能なインターフェイスと温度センサを設け、利用者が着席する座席のインターフェイスに通信端末１を接続して、当該座席の温度センサが測定した温度を示す温度情報を通信端末１が受信して、通信部１６を介して空調制御装置２に送信するようにしてもよい。このように、通信端末１における温度センサ１３などの一部の機能を各座席が具備するようにすることにより、本変形例の通信端末１を座席と接続することにより、これらを一体として実施形態における通信端末１と同様な機能を有するようにしてもよい。
【図面の簡単な説明】
【００５２】
【図１】実施形態に係る環境制御システムの構成を示す図である。
【図２】実施形態に係る環境制御システムが用いられる部屋の説明図である。
【図３】実施形態に係る通信端末のハードウエアの構成を示すブロック図である。
【図４】実施形態に係る通信端末の外観を示す外観図である。
【図５】実施形態に係る空調制御装置のハードウエアの構成を示すブロック図である。
【図６】実施形態に係る空調制御装置の温度制御部の構成を示すブロック図である。
【図７】実施形態に係る空調制御装置の表示部に表示される内容の説明図である。
【図８】変形例１に係る空調制御装置の記憶部に記憶されるテーブルの説明図である。
【図９】変形例３、４に係る識別装置の構成を示すブロック図である。
【符号の説明】
【００５３】
１，１−１〜１−１００…通信端末、２…空調制御装置、３…識別装置、１０，２０，３０…バス、１１，２１，３１…制御部、１２，２２，３２…記憶部、１３…温度センサ、１４，２４…表示部、１５，２５…操作部、１６，２６…通信部、１７，２７，３３…インターフェイス、２３…温度制御部、２３１…コントローラ、２３２−１〜２３２−ｎ…温度調節部、２３３−１〜２３３−ｎ…送風口、１００…部屋、２００…ステージ
【図１】
2009103347.tif 000003
【図２】
2009103347.tif 000004
【図３】
2009103347.tif 000005
【図４】
2009103347.tif 000006
【図５】
2009103347.tif 000007
【図６】
2009103347.tif 000008
【図７】
2009103347.tif 000009
【図８】
2009103347.tif 000010
【図９】
2009103347.tif 000011